(57)【要約】【課題】複数個の発音弾を容易かつ安全に収納保持でき、小型化及び低コスト化できる発音弾ブイにおける発音弾の固定離脱構造を得る。【解決手段】２発の発音弾２、３を柔軟性のある上中下のプレート付きスポンジゴム８、９、１０を押しつぶしてブラケット７と共に外装円筒１４内で上下左右の固定をすることで浮上部６の隣に容易かつ安全に収納保持することができ、小電力で作動できる火薬を利用した切断カッター１６で引き留め紐を切断して確実に発音弾を水中に離脱させる。発音弾を離脱させる管制信号を受信する受信回路部４と、離脱を制御する制御部５を浮上部６に縦に１列に配置し、そのスペースを利用して既存の発音弾の形状を変えることなしに複数の発音弾を浮上部６に収納保持することができる。【選択図】　　　図１
2004085441.tif 000002
【特許請求の範囲】
【請求項１】
着水後、膨らんだフロートにより海面上に浮遊する浮上部と、前記浮上部に取着された外装筒体と、前記外装筒体内にて前記浮上部に接して設けられ複数の発音弾を収納保持し且つ内面が柔軟に変化する部材を用いて前記発音弾の上下左右の固定保持を行う保持機構と、前記浮上部に収納され前記発音弾を離脱させるための航空機等からの管制信号を受信する受信回路部及び離脱を制御する制御部と、前記外装筒体内に離脱自在に設けられ前記制御部の制御により前記保持機構から前記発音弾の保持を解除して離脱させ水中に沈降させる切断離脱機構とを備えることを特徴とする発音弾ブイにおける発音弾の固定離脱構造。
【請求項２】
前記保持機構は、前記複数の発音弾を前記外装筒体内の上下方向に固定する柔軟な部材としてのスポンジゴムと、前記複数の発音弾を前記外装筒体内の左右方向に固定するブラケットとを備えることを特徴とする請求項１記載の発音弾ブイにおける発音弾の固定離脱構造。
【請求項３】
前記切断離脱機構は、前記スポンジゴムによる押圧力を受けつつ前記複数の発音弾を固定し且つ着水時の衝撃により前記外装筒体から外れる受圧板と、着水後の落下により前記発音弾の誤動作防止用安全ワイヤーを外す錘と、着水時に前記受圧板が外れても前記発音弾を前記保持機構に引き留める引き留め紐と、前記引き留め紐を切断して前記発音弾を前記保持機構から離脱させるよう作動する切断カッターと、前記制御部の制御により爆発して前記切断カッターを作動させ且つ小電力で爆発作動しうる火薬とを備えることを特徴とする請求項１または２記載の発音弾ブイにおける発音弾の固定離脱構造。
【請求項４】
前記受信回路部及び前記制御部は、前記複数の発音弾の収納保持方向に沿い前記浮上部内にて上下方向に１列に収納配置されることを特徴とする請求項１ないし３のいずれかに記載の発音弾ブイにおける発音弾の固定離脱構造。
【請求項５】
前記発音弾は、既存の発音弾の形状を変えることなく、複数個が前記保持機構に収納しうるものであることを特徴とする請求項１ないし４のいずれかに記載の発音弾ブイにおける発音弾の固定離脱構造。
【請求項６】
着水後、膨らんだフロートにより海面上に浮遊する浮上部と、前記浮上部に取着された外装筒体と、前記外装筒体内にて前記浮上部に接して設けられ複数の発音弾を収納保持し且つ前記発音弾の各々の上下左右の固定保持をそれぞれ対応するブラケットにより行う保持機構と、前記浮上部に収納され前記発音弾を離脱させるための航空機等からの管制信号を受信する受信回路部及び離脱を制御する制御部と、前記外装筒体内に離脱自在に設けられ前記制御部の制御により前記保持機構から前記発音弾の保持を解除して離脱させ水中に沈降させる切断離脱機構とを備えることを特徴とする発音弾ブイにおける発音弾の固定離脱構造。
【発明の詳細な説明】
【０００１】
【発明の属する技術分野】
本発明は、航空機等から海面に投下され発音弾を水中に沈降させる発音弾ブイに関し、特にその発音弾の固定離脱構造に関する。
【０００２】
【従来の技術】
従来、この種の発音弾ブイの固定離脱構造として、特開２００１−３１７９００号公報に示されるものがある。この従来技術の構成は、図５に示すように、海上に浮遊するためのフロート５３と、発音弾５８を管制するための管制信号及び発音弾確認信号を送受信する送受信回路５４とで浮上部５１を構成し、また投下を制御し発音弾確認信号を発生させる制御部５６と、発音弾５８を保持する保持機構部５７とで水中部５２を構成し、水中部５２が吊下ケーブル５５により浮上部５１から吊下げられる。このように、送受信回路５４を有する浮上部５１と発音弾５８及び保持機構部５７を有する水中部５２とが分離した構成となっている。
【０００３】
【発明が解決しようとする課題】
上述したような従来の発音弾ブイの固定離脱構造において、複数個の発音弾を収納して使用する場合、水中部に発音弾を容易かつ安全に２発以上収納するためには、吊下げられ分離した水中部の形状に適合するように発音弾の再設計を行う必要があり、費用がかかるという問題がある。また、発音弾を水中に沈降させるための離脱手段に関しても、ニクロム線を利用したものが主であって大電力を必要とするため大規模となり、水中部が大型化してしまうという問題がある。
【０００４】
本発明の目的は、上記従来の問題点を解消し、浮上部と水中部を略一体化し、発音弾を離脱するための管制信号を受信する受信回路部及び離脱を制御する制御部を浮上部に縦に１列に収納配置し、その隣に既存の発音弾の形状を変えることなく且つ発音弾の上中下の柔軟部材を押しつぶすことにより上下左右の固定をすることで容易かつ安全に複数個を保持し、航空機等から投下し海面に浮遊させた待機状態で、航空機等からの管制信号により、小電力で作動できる火薬を利用して引き留め紐を切断し確実に発音弾を水中に離脱させ沈降動作させることができると共に、安価に製造できる発音弾ブイにおける発音弾の固定離脱構造を提供することにある。
【０００５】
【課題を解決するための手段】
本発明の発音弾ブイにおける発音弾の固定離脱構造は、着水後、膨らんだフロートにより海面上に浮遊する浮上部と、前記浮上部に取着された外装筒体と、前記外装筒体内にて前記浮上部に接して設けられ複数の発音弾を収納保持し且つ内面が柔軟に変化する部材を用いて前記発音弾の上下左右の固定保持を行う保持機構と、前記浮上部に収納され前記発音弾を離脱させるための航空機等からの管制信号を受信する受信回路部及び離脱を制御する制御部と、前記外装筒体内に離脱自在に設けられ前記制御部の制御により前記保持機構から前記発音弾の保持を解除して離脱させ水中に沈降させる切断離脱機構とを備えている。
【０００６】
この発音弾ブイにおける発音弾の固定離脱構造において、前記保持機構は、前記複数の発音弾を前記外装筒体内の上下方向に固定する柔軟な部材としてのスポンジゴムと、前記複数の発音弾を前記外装筒体内の左右方向に固定するブラケットとを備えるものである。
【０００７】
また前記切断離脱機構は、前記スポンジゴムによる押圧力を受けつつ前記複数の発音弾を固定し且つ着水時の衝撃により前記外装筒体から外れる受圧板と、着水後の落下により前記発音弾の誤動作防止用安全ワイヤーを外す錘と、着水時に前記受圧板が外れても前記発音弾を前記保持機構に引き留める引き留め紐と、前記引き留め紐を切断して前記発音弾を前記保持機構から離脱させるよう作動する切断カッターと、前記制御部の制御により爆発して前記切断カッターを作動させ且つ小電力で爆発作動しうる火薬とを備えるものである。
【０００８】
また前記受信回路部及び前記制御部は、前記複数の発音弾の収納保持方向に沿い前記浮上部内にて上下方向に１列に収納配置されるものとする。
また前記発音弾は、既存の発音弾の形状を変えることなく、複数個が前記保持機構に収納しうるものとする。
【０００９】
また本発明の他の発音弾ブイにおける発音弾の固定離脱構造は、着水後、膨らんだフロートにより海面上に浮遊する浮上部と、前記浮上部に取着された外装筒体と、前記外装筒体内にて前記浮上部に接して設けられ複数の発音弾を収納保持し且つ前記発音弾の各々の上下左右の固定保持をそれぞれ対応するブラケットにより行う保持機構と、前記浮上部に収納され前記発音弾を離脱させるための航空機等からの管制信号を受信する受信回路部及び離脱を制御する制御部と、前記外装筒体内に離脱自在に設けられ前記制御部の制御により前記保持機構から前記発音弾の保持を解除して離脱させ水中に沈降させる切断離脱機構とを備えている。
【００１０】
このような本発明の発音弾ブイにおける発音弾の固定離脱構造によれば、発音弾２と発音弾３を上中下のプレート付きスポンジゴム８、９、１０を押しつぶすことによって上下左右の固定をすることで発音弾ブイに容易かつ安全に２発保持することができ、さらに小電力で作動できる火薬１９を利用して引き留め紐２２を切断することによって確実に発音弾を水中に離脱させることができる。また、発音弾を離脱するための管制信号を受信する受信回路部４と、離脱を制御する制御部５を浮上部６に縦に１列に配置し、既存の発音弾の形状を変えることなしに２発の発音弾をも浮上部６に収納することができる。そして、既存の発音弾を使用することができ且つ柔軟な部材としてスポンジゴムを利用しているため、収納ならびに固定離脱構造が単純な構成でよく安価に製造することができるものである。
【００１１】
【発明の実施の形態】
次に、本発明について図面を参照して説明する。
【００１２】
図１は本発明の第１の実施の形態の発音弾の固定離脱構造の非作動時を示す（ａ）は側面図、（ｂ）は正面図、（ｃ）は下面図、図２はこの構造における切断カッター部の断面図、図３（ａ）ないし（ｄ）はこの固定離脱構造の作動時の状態を順次に示す正面図である。
【００１３】
図１を参照して、この固定離脱構造の構成を説明する。この固定離脱構造は、発音弾を２発収納する構造であり、海上に浮遊するためのフロート１と、発音弾２及び発音弾３を離脱するための管制信号を航空機等から受信する受信回路部４と、離脱を制御する制御部５と、受信回路部４ならびに制御部５を縦に１列に収納した浮上部６と、浮上部６の隣に収納配置した２発の発音弾２及び発音弾３と、浮上部６に取着した外装円筒１４と、発音弾２と発音弾３を横方向に固定するブラケット７と、発音弾２と発音弾３を縦方向に固定する柔軟な部材であるプレ−ト付き上スポンジゴム８及びプレ−ト付き中スポンジゴム９及びプレ−ト付き下スポンジゴム１０と、上側の発音弾２の誤作動防止用の安全ワイヤ−１１と、下側の発音弾３の誤作動防止用の安全ワイヤ−１２と、誤作動防止用安全ワイヤ−を外すための錘１３と、プレ−ト付き上下スポンジゴムを押しつぶして外装円筒１４に固定するための受圧板１５と、火薬１９を利用して引き留め紐２２を切断し発音弾２及び発音弾３を離脱させるための上下２組の切断カッタ−１６とから構成される。
【００１４】
この構成について、さらに詳細に説明する。フロ−ト１は海面に着水後、膨張して浮上部６とともに海面に浮遊する機能を有している。受信回路部４は発音弾ブイが航空機等からの発音弾の離脱信号を受信する回路であり、浮上部６に収納され発音弾２及び発音弾３の隣に縦方向に配置される構造である。制御部５は受信回路４からの信号により切断カッタ−１６を作動させるための回路であり、浮上部６に収納され発音弾２及び発音弾３の隣に縦方向に配置される構造である。
【００１５】
浮上部６は、受信回路部４と制御部５とを縦方向に１列に配置して収納できる構造を有している。発音弾２及び発音弾３は、既存の発音弾の形状を変えることなく、浮上部６の隣に縦方向に収納できる形状を有している。ブラケット７は浮上部６に固定され、非作動時は発音弾２及び発音弾３をプレ−ト付き上中下のスポンジゴム８、９、１０と相まって横方向の動きを押さえる機能を有しており、また作動時には発音弾２及び発音弾３が下方に落下するためのガイドをする機能を有している。
【００１６】
プレ−ト付き上スポンジゴム８は上側の発音弾２の尾部に配置され、スポンジゴムが押しつぶされることにより発音弾２、発音弾３の上下左右の固定をする機能を有している。プレ−ト付き中スポンジゴム９は発音弾２と発音弾３の間に配置され、上側の発音弾２の頭部ならびに下側の発音弾３の尾部の上下左右の固定をする機能を有している。プレ−ト付き下スポンジゴム１０は下側の発音弾３の頭部に配置され、スポンジゴムが押しつぶされることにより発音弾２、発音弾３の上下左右の固定をする機能を有している。発音弾２、発音弾３の誤作動防止用の安全ワイヤ−１１、１２は、非作動時にそれぞれ発音弾２、発音弾３が誤作動しないように防止する機能を有している。
【００１７】
錘１３は着水後落下することにより、発音弾２、発音弾３の誤作動防止用の安全ワイヤ−１１、１２を外すための機能を有している。浮上部６に取着した外装円筒１４は構成品全てを収納し、非作動時及び作動時における構成品を保護する機能を有している。受圧板１５は非作動時にプレ−ト付き上中下のスポンジゴム８、９、１０を押しつぶして発音弾弾２、発音弾３を固定する構造を有し、海面に着水後衝撃力により外装円筒１４から外れる機能を有している。
【００１８】
上下２組の切断カッタ−１６は、図２に示すように、火薬室１７、点火玉１８、火薬１９、カッタ−２０、Ｏリング２１及び引き留め紐２２から構成され、防水構造となっていて、浮上部６に取付られ、点火玉１８が発火すると火薬１９が爆発し、この爆発力でカッタ−２０を押し出し、引き留め紐２２を切断して発音弾２、発音弾３を離脱させる機能を有している。
【００１９】
以下、このような構成の第１の実施の形態の動作について説明する。まず発音弾ブイ全体システムの動作について図１ないし図３を参照して説明する。
【００２０】
図１に示すように、非作動状態の発音弾ブイは、外装円筒１４の中に、フロ−ト１と、発音弾２及び発音弾３を離脱するための管制信号を受信する受信回路部４と、離脱を制御する制御部５と、受信回路部４ならびに制御部５を縦に１列に収納した浮上部６と、浮上部６の隣に収納配置した２発の発音弾２及び発音弾３と、発音弾２と発音弾３を横方向に固定するブラケット７と、発音弾２と発音弾３を縦方向に固定するプレ−ト付き上スポンジゴム８及びプレ−ト付き中スポンジゴム９及びプレ−ト付き下スポンジゴム１０と、上側の発音弾２の誤作動防止用の安全ワイヤ−１１と、下側の発音弾３の誤作動防止用の安全ワイヤ−１２と、誤作動防止用安全ワイヤ−を外すための錘１３と、プレ−ト付き上下スポンジゴムを押しつぶして外装円筒１４に固定するための受圧板１５と、火薬１９を利用して引き留め紐２２を切断し発音弾２及び発音弾３を離脱させるための２組の切断カッタ−１６が収納されている。
【００２１】
発音弾は２発収納され、発音弾２及び発音弾３には引き留め紐２２が取り付けてあり、それぞれ切断カッタ−１６に接続されている。
【００２２】
図３に示すように、作動状態においては、発音弾ブイは航空機から海面に投下されると、フロート１が膨脹し海面に浮遊する。また、着水の衝撃で受圧板１５が外れ、錘１３も落下するが、錘１３には発音弾２の誤作動防止用の安全ワイヤ−１１及び発音弾３の誤作動防止用の安全ワイヤ−１２が取り付けてあるので、発音弾２、３から誤作動防止用の安全ワイヤ−１１、１２が外れる。そして受圧板１５が外れたことにより、発音弾２及び発音弾３を固定していたプレ−ト付き上スポンジゴム８、プレ−ト付き中スポンジゴム９及びプレ−ト付き下スポンジゴム１０のつぶれがなくなるため、プレ−ト付き下スポンジゴム１０が落下し、発音弾２及び発音弾３がフリ−となる（図３（ａ））。
【００２３】
しかし、発音弾２及び発音弾３にはそれぞれ引き留め紐２２が取り付けてあるため、発音弾２及び発音弾３は引き留め紐２２で吊された状態となる。この状態が待機状態であり航空機等からの管制信号を待つ状態である。（図３（ｂ））。
【００２４】
ここで、発音弾ブイが航空機等から下側の発音弾３の離脱信号を受信すると、受信回路部４及び制御部５が作動し、下部の切断カッタ−１６を作動させる。するとカッタ−２０により引き留め紐２２が切断されて発音弾３が離脱し、水中に沈降しはじめ、所定深度に達すると爆発するものである。このとき、プレ−ト付き中スポンジゴム９も落下する。（図３（ｃ））。
【００２５】
次に、発音弾ブイが航空機等から上側の発音弾２の離脱信号を受信すると、受信回路部４及び制御部５が作動し、上部の切断カッタ−１６を作動させる。そして発音弾２が水中に沈降しはじめ、所定深度に達すると爆発するものである（図３（ｄ））。
【００２６】
次に、本発明の第２及び第３の実施の形態について説明する。この第２及び第３の実施の形態では、上述した第１の実施の形態に比して保持機構部分の構成のみが異なる。
【００２７】
図４（ａ）及び（ｂ）は第２の実施の形態の保持機構を示す上面図及び正面図、図４（ｃ）及び（ｄ）は第３の実施の形態の保持機構を示す上面図及び正面図である。
【００２８】
発音弾ブイの固定離脱構造の全体の基本構成は第１の実施の形態と略同構成であるので説明を省略し、相違する保持機構のみ説明する。この第２及び第３の実施の形態においては、第１の実施の形態において用いた柔軟な部材（スポンジゴム）は使用しない。
【００２９】
図４（ａ）、（ｂ）に示す第２の実施の形態の保持機構においては、浮上部６に接するように発音弾２及び発音弾３を保持するためにブラケット３１を用いる。ブラケット３１は、発音弾２及び発音弾３のそれぞれに対応するよう縦方向に分割されてヒンジ構造をなし、ヒンジ３３を支点にして回動し、引き留め紐２２によって矢印Ａ方向に引っ張られ、発音弾２及び発音弾３を浮上部６に押しつけることで発音弾２及び発音弾３を上下左右に固定しつつ保持する。離脱時には、切断カッター１６で引き留め紐２２が切断されると、ブラケット３１が図示しないスプリング等の弾性復元力により矢印Ｂ方向に開けられ、発音弾２及び発音弾３は固定が解除されて離脱する。
【００３０】
図４（ｃ）、（ｄ）に示す第３の実施の形態の保持機構においては、浮上部６に接するように発音弾２及び発音弾３を保持するためにブラケット３２を用いる。ブラケット３２は、発音弾２及び発音弾３のそれぞれに対応するよう縦方向に分割されてスライド構造をなし、引き留め紐２２によって矢印Ｃ方向に引っ張られ、発音弾２及び発音弾３を浮上部６に押しつけることで発音弾２及び発音弾３を上下左右に固定しつつ保持する。離脱時には、切断カッター１６で引き留め紐２２が切断されると、ブラケット３２が図示しないスプリング等の弾性復元力により矢印Ｄ方向にスライドして開けられ、発音弾２及び発音弾３は固定が解除されて離脱する。
【００３１】
なお、上述した第１ないし第３の実施の形態においては、収納保持する発音弾の数が２個の場合を例示したが、これに限定することなく、３個以上の発音弾を収納保持する場合にも適用できることは勿論である。
【００３２】
【発明の効果】
第１の効果は、複数個の発音弾を容易かつ安全に収納保持できることである。その理由は、浮上部と水中部を略一体化した構成とし、内面が柔軟に変化する部材を用いて発音弾の上下左右の固定保持を行うとともに、受信回路部及び制御部を縦方向に１列に収納配置してできる浮上部の空きスペースを利用して発音弾を複数収納保持するためである。
【００３３】
第２の効果は、全体構成が小型化できることである。
その理由は、上述した縦方向スペースを利用した発音弾の収納保持、ならびに小電力で作動できる火薬を利用して引き留め紐を切断する簡易な切断離脱機構を使用するためである。
【００３４】
第３の効果は、低コスト化ができることである。
その理由は、既存の発音弾の形状を変えることなくそのまま使用できるため再設計費用が発生しないこと、ならびに収納固定及び離脱のための構成が単純で安価に製造できるからである。
【図面の簡単な説明】
【図１】本発明の第１の実施の形態の発音弾の固定離脱構造の非作動時を示す（ａ）は側面図、（ｂ）は正面図、（ｃ）は下面図である。
【図２】図１における切断カッター部を示す断面図である。
【図３】第１の実施の形態の発音弾の固定離脱構造の作動時の状態を（ａ）ないし（ｄ）に順次に示す正面図である。
【図４】
本発明の第２の実施の形態の保持機構を示す（ａ）は上面図、（ｂ）は正面図
及び本発明の第３の実施の形態の保持機構を示す（ｃ）は上面図、（ｄ）は正面
図である。
【図５】
従来の発音弾ブイの固定離脱構造の構成の一例を示す正面図である。
【符号の説明】
１、５３　　フロート
２、３、５８　　発音弾
４　　受信回路部
５、５６　　制御部
６、５１　　浮上部
７、３１、３２　　ブラケット
８　　プレ−ト付き上スポンジゴム
９　　プレ−ト付き中スポンジゴム
１０　　プレ−ト付き下スポンジゴム
１１、１２　　安全ワイヤー
１３　　錘
１４　　外装円筒
１５　　受圧板
１６　　切断カッター
１７　　火薬室
１８　　点火玉
１９　　火薬
２０　　カッター
２１　　Ｏリング
２２　　引き留め紐
３３　　ヒンジ
５２　　水中部
５４　　送受信回路
５５　　吊下ケーブル
５７　　保持機構部
【図１】
2004085441.tif 000003
【図２】
2004085441.tif 000004
【図３】
2004085441.tif 000005
【図４】
2004085441.tif 000006
【図５】
2004085441.tif 000007